(57)【要約】【課題】  検査に使用される外部検査設備の検査項目の変更を簡単に行うことができる車両の検査管理システムを提供すること。【解決手段】  車両の製造ラインで使用し、外部検査設備の検査項目を記憶する検査マスタデータベースを備えたサーバ２と、このサーバ２とはＬＡＮ１を介して無線通信を行い、複数の検査工程で使用する検査用端末６、さらにマスタ管理端末等及びＬＡＮに接続される外部検査設備５とからなる車両の検査管理システムにおいて、サーバ２は、管理端末３から外部検査設備に対する検査が指示されると、検査マスタデータベースに記憶されている当該外部検査設備に対する検査項目を当該外部検査設備に送信し、この検査指示を受信した外部検査設備５はその検査を実行し、その検査結果をサーバに送信する手段を備え、この検査結果を受信したサーバは、その検査結果を一時メモリ１３に記憶させることを特徴とする。【選択図】      図１
2005301877.tif 000002
【特許請求の範囲】
【請求項１】
車両の製造ラインで使用し、外部検査設備の検査項目を記憶する検査マスタデータベースを備えたサーバと、このサーバとはＬＡＮを介して通信を行い、複数の検査工程で使用する検査用端末、さらにマスタ管理端末等及び前記ＬＡＮに接続される外部検査設備とからなる車両の検査管理システムにおいて、
前記サーバは、前記マスタ管理端末から前記外部検査設備に対する検査が指示されると、前記検査マスタデータベースに記憶されている当該外部検査設備に対する検査項目を当該外部検査設備に送信し、
この検査指示を受信した外部検査設備はその検査を実行し、その検査結果を前記サーバに送信する手段を備え、
この検査結果を受信したサーバは、その検査結果を一時メモリに記憶させることを特徴とする車両の検査管理システム。
【請求項２】
前記外部検査設備に送信される検査項目は、前記マスタ管理端末により選択、削除可能であることを特徴とする請求項1記載の車両の検査管理システム。
【請求項３】
前記サーバの検査マスタデータベースに記憶される外部検査設備の検査項目は前記マスタ管理端末から設定されることを特徴とする請求項1記載の車両の検査管理システム。
【請求項４】
前記検査用端末は前記マスタベースの一時メモリに記憶されている検査結果を読み込むことを指定する指定手段を備え、この指定手段により一時メモリに記憶されている検査結果を読み込むことを指定された場合には、前記サーバは一時メモリに記憶されている検査結果を当該検査用端末に対して検査結果を送信し、
検査用端末はこの検査結果を受信して表示し、当該検査結果を必要に応じて追加、修正することを特徴とする請求項1記載の車両の検査管理システム。
【発明の詳細な説明】
【技術分野】
【０００１】
本発明は、車両の製造ラインにおける車両の検査管理システムに関する。
【背景技術】
【０００２】
従来、自動車を製造するラインでは、車両に対して複数の検査工程を設定し、それぞれの検査工程において、検査データをホストコンピュータからパソコンにダウンロードし、オペレータはこの検査データに基づいて検査を行い、その結果をパソコンに入力してホストコンピュータに送信するもの、また、検査の最初に各工程で検査に必要に基準データをバーコードで印刷した検査指示票を発行して車両に添付し、第1の工程で該当するバーコードを読み取って基準データを得、この基準データに基づいて検査を行って、その結果をバーコードラベルとして発行し、このバーコードラベルを検査指示票に貼って車両とともに次の工程へ移動させるものが知られている（例えば、特許文献１参照）。
【特許文献１】特開２００２−１２１７７号公報
【発明の開示】
【発明が解決しようとする課題】
【０００３】
この検査指示票に沿って検査を行った結果、問題が発見された場合には、その内容を、検査指示票中にチェックしていた。
【０００４】
このように、検査結果を検査指示票に残しておいても後の工程でその内容を参照するのに手間がかかるため、検査結果を携帯端末に入力させるようにした検査管理システムが考えられている。
【０００５】
このような検査管理システムにタイヤの検査をする外部検査設備を接続した場合には、検査管理システムのサーバに記憶されているプログラムに外部検査設備のＩＤや検査項目を固定的に記憶させておく必要があった。
【０００６】
このようにプログラム中に外部検査設備のＩＤや検査項目を固定的に記憶させておくと、外部検査設備を変更したりあるいは外部検査設備で行われている検査項目を変更したい場合には一々プログラムを修正しなければならず、不便であった。
【０００７】
本発明は、上記の点に鑑みてなされたもので、その目的は、検査に使用される外部検査設備の変更を簡単に行うことができる車両の検査管理システムを提供することにある。
【課題を解決するための手段】
【０００８】
請求項１記載の発明は、車両の製造ラインで使用し、外部検査設備の検査項目を記憶する検査マスタデータベースを備えたサーバと、このサーバとはＬＡＮを介して無線通信を行い、複数の検査工程で使用する検査用端末、さらにマスタ管理端末等及び前記ＬＡＮ回線に接続される外部検査設備とからなる車両の検査管理システムにおいて、前記サーバは、前記マスタ管理端末から前記外部検査設備に対する検査が指示されると、前記検査マスタデータベースに記憶されている当該外部検査設備に対する検査項目を当該外部検査設備に送信し、この検査指示を受信した外部検査設備はその検査を実行し、その検査結果を前記サーバに送信する手段を備え、この検査結果を受信したサーバは、その検査結果を一時メモリに記憶させることを特徴とする。
【０００９】
請求項２記載の発明は、請求項1記載の外部検査設備に送信される検査項目は、前記マスタ管理端末により選択、削除可能であることを特徴とする。
【００１０】
請求項３記載の発明は、請求項1記載のサーバの検査マスタデータベースに記憶される外部検査設備の検査項目は前記マスタ管理端末から設定されることを特徴とする。
【００１１】
請求項４記載の発明は、検査用端末は前記マスタベースの一時メモリに記憶されている検査結果を読み込むことを指定する指定手段を備え、この指定手段により一時メモリに記憶されている検査結果を読み込むことを指定された場合には、前記サーバは一時メモリに記憶されている検査結果を当該検査用端末に対して検査結果を送信し、検査用端末はこの検査結果を受信して表示し、当該検査結果を必要に応じて追加、修正することを特徴とする。
【発明の効果】
【００１２】
請求項１記載の発明によれば、特にプログラムの変更をしなくても外部検査設備の検査項目の追加、削除を容易に行うことができる。
【００１３】
請求項２記載の発明によれば、マスタ管理端末から外部検査設備の検査項目の追加、削除を容易に行うことができる。
【００１４】
請求項3記載の発明によれば、マスタ管理端末から外部検査設備の検査項目を設定することができる。
【００１５】
請求項４記載の発明によれば、外部検査設備で行われた検査結果を検査用端末に表示させることができる。
【発明を実施するための最良の形態】
【００１６】
以下、図面を参照して本発明の一実施の形態について説明する。図１は車両の検査管理システムの構成を示す図である。図において、１は車両の製造ラインに配置されたＬＡＮである。このＬＡＮ１には、サーバ２、マスタ管理端末３、複数のアクセスポイント４、外部検査設備５が接続されている。そして、各アクセスポイント４は近傍にモバイル端末である検査用端末としての検査用携帯端末６と無線通信するようになっている。
【００１７】
外部検査設備５は、例えばタイヤの装着状態をチェックしたり、排気ガスのチェックをするような設備を示す。
【００１８】
検査用携帯端末６は、検査するオペレータが所持し、製造ラインにおいて所定の工程が終了する毎にその工程で車に組み込まれた複数の検査対象部位や部品の検査をこの検査用携帯端末６を操作して行うようになっている。
【００１９】
前記サーバ２は、検査マスタデータベース１１、検査結果データベース１２や一時メモリ１３を設けている。この検査マスタデータベース１１には検査用携帯端末６で行われる検査項目及び検査部位が記憶される。ここで、検査項目及び検査部位を総称して検査ジョブという。検査マスタデータベース１１には外部検査設備５の識別情報及びこの外部検査設備５での検査項目及び検査部位が記憶される。これらを総称して外部検査設備構成情報という。
【００２０】
また、検査結果データベース１２は検査用携帯端末６で行われた検査結果及び外部検査設備５で行われた検査結果が記憶される。
【００２１】
また、サーバ２には、各種業務アプリケーション１３が記憶されている。例えば、図９のフローチャートに示す処理を行なうプログラムが記憶されている。
【００２２】
前記サーバ２は、図２に示すように、制御部本体を構成するＣＰＵ(中央処理ユニット)２１、このＣＰＵ２１が各部を制御するプログラムデータを格納したＲＯＭ（リード・オンリ・メモリ）２２、前記ＣＰＵ２１やデータ送信時やデータ受信時、データ処理時等において一時的に使用するメモリを設けたＲＡＭ（ランダム・アクセス・メモリ）２３、前記検査マスタデータベース１１、前記検査結果データベース１２及び一時メモリ１３を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末６とデータのやり取りを行う通信部２５、キー入力やインジケータの表示等を行うための操作部２６を設け、これらバスライン２７によって互いに電気的に接続している。
【００２３】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為のハードディスク装置３８を設け、これらをバスライン３９によって互いに電気的に接続している。
【００２４】
前記携帯端末６は、図４に示すように、制御部本体を構成するＣＰＵ５１、このＣＰＵ５１が各部を制御するプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行うためのタッチパネル５５、前記アクセスポイント４と無線通信によってデータのやり取りを行う無線通信部５６を設け、これらをバスライン５７によって互いに電気的に接続している。
【００２５】
また、外部検査設備５は図５に示す構成を有する。図５に示すように制御部本体を構成するＣＰＵ６１、このＣＰＵ６１が各部を制御するプログラムデータを格納したＲＯＭ６２、ＣＰＵ６１がデータ送信時やデータ受信時において一時的に使用するメモリや小容量のデータを格納するメモリ等を設けたＲＡＭ６３、大容量のデータを格納する為のハードディスク装置６４、ＬＡＮ１を介して前記サーバ２とデータのやり取りを行う通信部６５、検査結果や各種データを入力するための操作部６６、実際に車両の検査を行う検査部６７を設け、これらを互いにバスライン６８によって電気的に接続されている。
【００２６】
次に、上記のように構成された本発明の一実施の形態について説明する。まず、管理者は、マスタ管理端末３より、本システムに接続される外部検査設備５のＩＤ及びその外部検査検査設備５で検査する内容を示す検査項目及び検査部位（つまり、外部検査設備構成情報）を入力する。このようにして入力された検査項目及び検査部位、つまり検査ジョブは図６に示すように検査マスタデータベース１１に記憶される。ここで、外部検査設備５は検査ジョブの下位のジョブである検査ポイントを入力する。検査ポイントとは例えば、
タイヤのボルトを締めるようなジョブである。このような検査ポイントは検査用携帯端末６にはないジョブである。
【００２７】
また、製造される自動車個々に対して、各工程においてどの部位や部品に対してどのような検査を行うかの検査項目及び検査部位を入力する。
【００２８】
このマスタ管理端末３から入力された情報はサーバ２に送信される。
【００２９】
この情報を受信したサーバ２は図８のフローチャートに示す処理を行う。つまり、管理端末３から外部検査設備構成情報が送信されたかが判定される（ステップＳ１）。このステップＳ１の判定で「ＹＥＳ」と判定された場合には、サーバ２の検査マスタデータベース１１に図６に示すように検査ジョブとして登録される（ステップＳ２）。
【００３０】
マスタ管理端末３は、検査マスタデータベース１１に登録されている検査ジョブを選択し、外部検査設備を指定することができる。
【００３１】
マスタ管理端末３のディスプレイ３６には、図７に示すように検査ジョブと外部設備ボタンが表示される。
【００３２】
検査ジョブを選択すると共に外部検査設備ボタンを選択し、さらに表示される外部検査設備リストから該当する外部検査設備を選択する。このように外部検査設備リストから外部検査設備を選択をすることによりマスタ管理端末３から外部検査設備５への送信指示がなされる。
【００３３】
もし、外部検査設備を選択しないのであれば、当該外部検査設備はシステムから削除される。従って、外部検査設備の追加、削除を簡単に行うことができる。
【００３４】
このように、マスタ管理端末３からの送信指示があると、ステップＳ３において「ＹＥＳ」と判定される。
【００３５】
つまり、サーバ２はマスタ管理端末３で選択された検査ジョブ及び検査ポイントを外部検査設備５に送信する（ステップＳ４）。
【００３６】
このように、マスタ管理端末３から外部検査設備５で検査する検査ジョブ及び検査ポイントを選択することができるので、特にサーバ２の業務アプリケーション１４を変更しなくても外部検査設備５で検査する検査ジョブ及び検査ポイントを変更することができる。
【００３７】
これに対して、外部検査設備５は図９のフローチャートに示す処理を行う。つまり、サーバ２から検査ジョブを受信したかが判定される（ステップＳ１１）。このステップＳ１１の判定で「ＹＥＳ」と判定された場合には、その送信された検査ジョブをハードディスク６４に記憶させる処理が行なわれる（ステップＳ１２）。
【００３８】
そして、適宜外部検査設備５において、前記検査ジョブ及び検査ポイントが実行される（ステップＳ１３）。例えば、ボルト締めというように検査ポイントである。このような検査ポイントに対しても検査が行われる。
【００３９】
そして、検査結果はサーバ２に送信される（ステップＳ１４）。
【００４０】
図８のフローチャートに戻って、サーバ２は外部検査設備５から検査結果を受信したかを判定する（ステップＳ５）。このステップＳ５の判定で「ＹＥＳ」と判定された場合には、その検査結果を一時メモリ１３に記憶される（ステップＳ６）。
【００４１】
ところで、検査用携帯端末６の液晶ディスプレイ５４には検査画面が表示されている。そして、この液晶ディスプレイ５４に外部検査設備５の検査結果を表示させたい場合には、この検査画面に表示されている外部検査システムボタンをクリックする。このように、検査結果要求がクリックされる。
【００４２】
サーバ２のステップＳ７では、携帯端末６からの検査結果受信要求があるかを判定している（ステップＳ７）。
【００４３】
このステップＳ７で「ＹＥＳ」と判定された場合には、一時メモリ１３に記憶されている検査結果は携帯端末６に送信される（ステップＳ８）。この結果、携帯端末６の液晶ディスプレイ５４には、携帯端末６で行われた検査結果だけでなく、外部検査設備５の検査結果も入力される。
【００４４】
以降、オペレータは必要に応じて携帯端末６に表示された検査結果を必要に応じて追加、修正することができる。
【００４５】
このように、外部検査設備５で行われた検査結果を検査用携帯端末６に表示させることができるので、より精度の高い検査を行うことができる。
【００４６】
そして、サーバ２はいままで一時メモリ１３に記憶されていた外部設備ツール５の検査結果を検査結果データベース１２に移す処理を行う（ステップＳ９）。
【００４７】
なお、上記した実施の形態では、アクセスポイント４と検査用携帯端末６が無線通信により接続されている場合について説明したが、他の機能を有する携帯端末が無線通信により接続されていてもよい。
【００４８】
さらに、この実施の形態では、検査用端末として検査用携帯端末を使用し、サーバ２とアクセスポイント４を介して無線通信方式で通信を行うものについて述べたが必ずしもこれに限るものではなく、サーバ２とＬＡＮによって設定された設置式の検査用端末を使用しても良い。
【図面の簡単な説明】
【００４９】
【図１】本発明の一実施の形態に係わる車両の検査管理システムの構成を示す図。
【図２】同実施の形態におけるサーバのハード構成を示すブロック図。
【図３】同実施の形態におけるマスタ管理端末のハード構成を示すブロック図。
【図４】同実施の形態における検査用携帯端末のハード構成を示す図。
【図５】同実施の形態における外部検査設備のハード構成を示す図。
【図６】同実施の形態における検査マスタデータベースに登録された検査ジョブを示す図。
【図７】同実施の形態におけるディスプレイに表示された表示内容を示す図。
【図８】同実施の形態におけるサーバの動作を説明するためのフローチャート。
【図９】同実施の形態における外部検査設備の動作を説明するためのフローチャート。
【符号の説明】
【００５０】
１…ＬＡＮ、２…サーバ、３…マスタ管理端末、４…アクセスポイント、
５…外部検査設備、６…検査用携帯端末、１１…検査マスタデータベース、
１２…検査結果データベース。
【図１】
2005301877.tif 000003
【図２】
2005301877.tif 000004
【図３】
2005301877.tif 000005
【図４】
2005301877.tif 000006
【図５】
2005301877.tif 000007
【図６】
2005301877.tif 000008
【図７】
2005301877.tif 000009
【図８】
2005301877.tif 000010
【図９】
2005301877.tif 000011